(57)【要約】      （修正有）【課題】簡単な構成で、余り代を残した状態でのトイレットペーパーの切断を常にスムーズに行うトイレットペーパーホルダーを提供する。【解決手段】トイレットペーパーホルダー１は、トイレットペーパーロール２を略水平状態で回転可能に保持収容するトイレットペーパーロール収容器３と、トイレットペーパーロール収容器３の前面にトイレットペーパーロール２の回転軸線と略平行に設けられたトイレットペーパー引き出し口４と、トイレットペーパー引き出し口４にその長手方向に沿って配置されると共に、前後に傾動可能に軸支されたバー５と、トイレットペーパーロール収容器３の前面にトイレットペーパー引き出し口４よりも下方に位置して設けられたトイレットペーパー切断部６と、を備えている。【選択図】図９
0003181081.tif 000002
【実用新案登録請求の範囲】
【請求項１】
ロール状に巻かれたトイレットペーパーロールを略水平状態で回転可能に保持収容するトイレットペーパーロール収容器と、
前記トイレットペーパーロール収容器の前面に前記トイレットペーパーロールの回転軸線と略平行に設けられたトイレットペーパー引き出し口と、
前記トイレットペーパー引き出し口にその長手方向に沿って配置されると共に、前後に傾動可能に軸支されたバーと、
前記トイレットペーパーロール収容器の前面に前記トイレットペーパー引き出し口よりも下方に位置して設けられたトイレットペーパー切断部と、を備え、
前記トイレットペーパー引き出し口から引き出したトイレットペーパーによって前記バーを前傾させることにより、前記トイレットペーパーが前記バーと前記トイレットペーパー引き出し口の上縁との間に挟持されて、前記トイレットペーパーの引き出し動作が規制されることを特徴とするトイレットペーパーホルダー。
【請求項２】
前記トイレットペーパーロール収容器は、
少なくとも上部が開口し、前記トイレットペーパーロールを略水平状態で回転可能に保持収容するトイレットペーパーロール収容器本体と、
前記トイレットペーパーロール収容器本体の上部開口を開閉可能に覆う蓋体と、からなり、
前記トイレットペーパーロール収容器本体には、その前面の上縁に略長方形状の切欠きが形成されている、請求項１に記載のトイレットペーパーホルダー。
【請求項３】
前記バーは、前記トイレットペーパーが当該バーと前記トイレットペーパー引き出し口の上縁との間に挟持されない状態で後傾動作が規制される、請求項１又は２に記載のトイレットペーパーホルダー。
【請求項４】
前記バーは、後傾動作方向に付勢されている、請求項３に記載のトイレットペーパーホルダー。
【請求項５】
前記バーは、その傾動軸線を中心として前後対称な形状に形成されており、かつ、その傾動軸線よりも後側部分に重りが取り付けられている、請求項４に記載のトイレットペーパーホルダー。
【請求項６】
前記バーには、その傾動軸線よりも後側部分にその長手方向に沿って針金が挿通されている、請求項５に記載のトイレットペーパーホルダー。
【考案の詳細な説明】
【技術分野】
【０００１】
本考案は、ロール状に巻かれたトイレットペーパー（トイレットペーパーロール）を回転可能に保持するトイレットペーパーホルダーに関する。さらに詳細には、本考案は、使用者がトイレットペーパーを引き出しながら切断し得るように構成されたトイレットペーパーホルダーに関する。
【背景技術】
【０００２】
従来、この種のトイレットペーパーホルダーとしては、トイレットペーパー切断部（カッター）を兼ねた蓋体（カバー）を備え、引き出したトイレットペーパーを当該蓋体（カバー）で押さえながら切断するように構成されたトイレットペーパーホルダーが知られている。
【０００３】
しかし、かかる構成のトイレットペーパーホルダーでは、切断後に残ったトイレットペーパーの先端部が蓋体（カバー）の下に隠れてしまうことになる。このため、次ぎにトイレットペーパーを引き出す場合には、蓋体（カバー）を開けたりトイレットペーパーロールを回したりして引き出さなければならないという不具合があった。
【０００４】
そこで、このような不具合を解消するために、以下のような構成のトイレットペーパーホルダーが提案されている（例えば、特許文献１、２参照）。
【０００５】
特許文献１に開示されたトイレットペーパーホルダーは、トイレットペーパーが、トイレットペーパーロールの自重によって当該トイレットペーパーロールと一対のローラーとの間に挟持された状態で、余り代を残しつつ可動式カッターの切断刃で切断されるように構成されている。ここで、前記可動式カッターは、ケース内でトイレットペーパー引き出し口に臨む待機位置で前記切断刃を待機させ、前記トイレットペーパーの引き出しとともに、前記切断刃の位置がケース外の前記トイレットペーパーの引き出し経路の下流側の切断位置に移行し、前記トイレットペーパーの切断後に、前記切断刃が前記トイレットペーパーから離れて前記待機位置に戻るように構成されている（以上、特許文献１の図１参照）。
【０００６】
特許文献２に開示されたトイレットペーパーホルダーは、トイレットペーパーが、支持面とペーパー押さえ部とによって挟持された状態で、余り代を残しつつ鋸歯状刃で切断されるように構成されている。そして、このトイレットペーパーホルダーにおいては、前記トイレットペーパーの切断が終了すると、前記ペーパー押さえ部による前記トイレットペーパーの挟持状態が解除され、前記鋸歯状刃が安全カバー内に収納される（以上、特許文献２の図５参照）。
【先行技術文献】
【特許文献】
【０００７】
【特許文献１】特開２０１１−３６６０４号公報
【特許文献２】特開２００８−２９７７６号公報
【考案の概要】
【考案が解決しようとする課題】
【０００８】
しかし、特許文献１で提案されているトイレットペーパーホルダーでは、トイレットペーパーが残り少なくなってトイレットペーパーロールの重さが軽くなった場合に、前記トイレットペーパーを挟持する力が弱くなり、その結果、前記トイレットペーパーの切断をスムーズに行うことが困難になる。また、特許文献１で提案されているトイレットペーパーホルダーは、その構成が大掛かりであるため、製造コストが高くなるという問題点も有している。
【０００９】
特許文献２で提案されているトイレットペーパーホルダーも、その構成が大掛かりであるため、製造コストが高くなるという問題点を有している。
【００１０】
本考案は、従来技術における前記課題を解決するためになされたものであり、構成が簡単で、かつ、余り代を残した状態でのトイレットペーパーの切断を常にスムーズに行うことができるトイレットペーパーホルダーを提供することを目的とする。
【課題を解決するための手段】
【００１１】
前記目的を達成するため、本考案に係るトイレットペーパーホルダーは、
（１）ロール状に巻かれたトイレットペーパーロールを略水平状態で回転可能に保持収容するトイレットペーパーロール収容器と、前記トイレットペーパーロール収容器の前面に前記トイレットペーパーロールの回転軸線と略平行に設けられたトイレットペーパー引き出し口と、前記トイレットペーパー引き出し口にその長手方向に沿って配置されると共に、前後に傾動可能に軸支されたバーと、前記トイレットペーパーロール収容器の前面に前記トイレットペーパー引き出し口よりも下方に位置して設けられたトイレットペーパー切断部と、を備え、前記トイレットペーパー引き出し口から引き出したトイレットペーパーによって前記バーを前傾させることにより、前記トイレットペーパーが前記バーと前記トイレットペーパー引き出し口の上縁との間に挟持されて、前記トイレットペーパーの引き出し動作が規制されることを特徴とする。
【００１２】
本考案において、「前」とは、トイレットペーパーホルダーがトイレの壁面に固定された場合の、壁面側とは反対側を指し、「後」とは、壁面側を指すものとする。
【００１３】
本考案のトイレットペーパーホルダーの（１）の構成によれば、トイレットペーパー引き出し口から引き出したトイレットペーパーによってバーを前傾させることにより、前記トイレットペーパーが前記バーと前記トイレットペーパー引き出し口の上縁との間に挟持されて、前記トイレットペーパーの引き出し動作が規制されるので、前記トイレットペーパー引き出し口から引き出した前記トイレットペーパーを、前記トイレットペーパー引き出し口よりも下方に位置して設けられたトイレットペーパー切断部にあてがい、当該トイレットペーパーを前記トイレットペーパー切断部の方へ押しやるだけで、当該トイレットペーパーを切断することができる。この場合、前記バーと前記トイレットペーパー切断部との間の距離に相当する余り代が前記トイレットペーパーの切断後に残ることになる。このように、本考案のトイレットペーパーホルダーの（１）の構成によれば、上記のような簡単な構成で、余り代を残した状態でのトイレットペーパーの切断を常にスムーズに行うことができる。
【００１４】
前記本考案のトイレットペーパーホルダーの（１）の構成においては、以下の（２）〜（１４）のような構成にすることが好ましい。
【００１５】
（２）前記トイレットペーパーロール収容器は、少なくとも上部が開口し、前記トイレットペーパーロールを略水平状態で回転可能に保持収容するトイレットペーパーロール収容器本体と、前記トイレットペーパーロール収容器本体の上部開口を開閉可能に覆う蓋体と、からなり、前記トイレットペーパーロール収容器本体には、その前面の上縁に略長方形状の切欠きが形成されている。
【００１６】
上記（２）の好ましい構成によれば、蓋体を開閉することによって、トイレットペーパーロールを簡単に取り替えることができる。また、トイレットペーパーロール収容器本体の上部開口を前記蓋体によって覆うことにより、切欠きと前記蓋体の前面の下縁とによってトイレットペーパー引き出し口が形成される構成であるので、バーの取付けも容易となる（略長方形状の開口にバーを取り付けるよりも、略長方形状の切欠きにバーを取り付ける方が容易である）。
【００１７】
（３）上記（２）において、前記バーは、前記切欠きの左右両端で軸支されている。
【００１８】
（４）前記バーは、前記トイレットペーパーが当該バーと前記トイレットペーパー引き出し口の上縁との間に挟持されない状態で後傾動作が規制される。
【００１９】
上記（４）の好ましい構成によれば、バーを、後傾動作が規制される状態に持っていくことにより、トイレットペーパーを引き出すことが可能になる。
【００２０】
（５）上記（４）において、前記バーは、その上面が略長方形状に形成され、当該上面が略水平となる状態で後傾動作が規制される。
【００２１】
（６）上記（４）又は（５）において、前記バーは、後傾動作方向に付勢されている。
【００２２】
上記（６）の好ましい構成によれば、トイレットペーパーを切断した後、前記トイレットペーパーを引き出すことが可能な状態に自動的に持っていくことができる。
【００２３】
（７）上記（６）において、前記バーは、バネ付勢されている。
【００２４】
上記（７）の好ましい構成によれば、トイレットペーパーを切断した後、前記トイレットペーパーを引き出すことが可能な状態に確実に持っていくことができる。
【００２５】
（８）上記（６）において、前記バーは、その傾動軸線よりも後側に重心が偏心した形状に形成されている。
【００２６】
（９）上記（６）において、前記バーは、その傾動軸線を中心として前後対称な形状に形成されており、かつ、その傾動軸線よりも後側部分に重りが取り付けられている。
【００２７】
（１０）上記（９）において、前記バーには、その傾動軸線よりも後側部分にその長手方向に沿って針金が挿通されている。
【００２８】
上記（８）〜（１０）の好ましい構成によれば、付勢バネ等を用いる必要がないので、組立工程を簡略化することができる。
【００２９】
（１１）上記（５）〜（１０）のいずれかにおいて、前記バーは、その長手方向と直交する断面の形状が略三角形である。
【００３０】
上記（１１）の好ましい構成によれば、バーの、上面と対向する角部を、トイレットペーパー引き出し口の内側の下縁に当接させることにより、前記バーの後傾動作を規制することができる。
【００３１】
（１２）前記トイレットペーパーロールを回転可能に保持する軸棒をさらに備えている。
【００３２】
上記（１２）の好ましい構成によれば、トイレットペーパーロールをスムーズに回転させることが可能となる。尚、トイレットペーパーロール収容器自体が前記トイレットペーパーロールを回転可能に保持収容することが可能な形状に形成されていれば、軸棒は必ずしも必要ではない。
【００３３】
（１３）前記トイレットペーパー切断部は、前記トイレットペーパーロール収容器に一体に形成されている。
【００３４】
上記（１３）の好ましい構成によれば、トイレットペーパー切断部周りをすっきりさせることができ、デザイン的にも優れたものとすることができる。
【００３５】
（１４）前記トイレットペーパー切断部は、左右対称に凸状に湾曲している。
【００３６】
上記（１４）の好ましい構成によれば、使用者は、トイレットペーパーを端から端にかけて切断し易くなる。前記トイレットペーパーのミシン目に沿った切り取りが可能となるからである。
【考案の効果】
【００３７】
本考案によれば、構成が簡単で、かつ、余り代を残した状態でのトイレットペーパーの切断を常にスムーズに行うことができるトイレットペーパーホルダーを提供することができる。
【図面の簡単な説明】
【００３８】
【図１】図１は、本考案の一実施の形態におけるトイレットペーパーホルダーの構成を示す斜視図である。
【図２】図２は、本考案の一実施の形態におけるトイレットペーパーホルダーの構成を示す正面図である。
【図３】図３は、本考案の一実施の形態におけるトイレットペーパーホルダーの構成を示す側面図である。
【図４】図４は、本考案の一実施の形態におけるトイレットペーパーホルダーの構成を示す分解斜視図である。
【図５】図５は、本考案の一実施の形態におけるトイレットペーパーホルダーの構成部材であるトイレットペーパーロール収容器本体の構成を示す斜視図である。
【図６】図６は、本考案の一実施の形態におけるトイレットペーパーホルダーの構成部材であるバーの構成を示す斜視図である。
【図７】図７は、本考案の一実施の形態におけるトイレットペーパーホルダーを用いた場合の、トイレットペーパーの引き出し動作状態を示す部分側面図である。
【図８】図８は、本考案の一実施の形態におけるトイレットペーパーホルダーを用いた場合の、トイレットペーパーの引き出し動作規制状態及び切断状態を示す部分側面図である。
【図９】図９は、本考案の一実施の形態におけるトイレットペーパーホルダーを用いた場合の、トイレットペーパーの引き出し動作規制状態及び切断状態を示す斜視図である。
【図１０】図１０は、本考案の一実施の形態におけるトイレットペーパーホルダーの構成部材であるバーの他の構成を示す側面図である。
【図１１】図１１は、本考案の一実施の形態におけるトイレットペーパーホルダーの構成部材であるバーのさらなる他の構成を示す側面図である。
【図１２】図１２は、本考案の一実施の形態におけるトイレットペーパーホルダーの他の構成を示す側面図である。
【考案を実施するための形態】
【００３９】
以下、好適な実施の形態を用いて本考案をさらに具体的に説明する。但し、下記の実施の形態は本考案を具現化した例に過ぎず、本考案はこれに限定されるものではない。
【００４０】
［トイレットペーパーホルダーの構成］
まず、本考案の一実施の形態におけるトイレットペーパーホルダーの構成について、図１〜図６を参照しながら説明する。
【００４１】
図１は、本考案の一実施の形態におけるトイレットペーパーホルダーの構成を示す斜視図、図２は、当該トイレットペーパーホルダーの構成を示す正面図、図３は、当該トイレットペーパーホルダーの構成を示す側面図、図４は、当該トイレットペーパーホルダーの構成を示す分解斜視図、図５は、当該トイレットペーパーホルダーの構成部材であるトイレットペーパーロール収容器本体の構成を示す斜視図、図６は、当該トイレットペーパーホルダーの構成部材であるバーの構成を示す斜視図である。
【００４２】
図１〜図４に示すように、本実施の形態のトイレットペーパーホルダー１は、ロール状に巻かれたトイレットペーパーロール２を略水平状態で回転可能に保持収容するトイレットペーパーロール収容器３と、トイレットペーパーロール収容器３の前面にトイレットペーパーロール２の回転軸線と略平行に設けられたトイレットペーパー引き出し口４と、トイレットペーパー引き出し口４にその長手方向に沿って配置されと共に、傾動軸線を中心として前後に傾動可能に軸支されたバー５と、トイレットペーパーロール収容器３の前面にトイレットペーパー引き出し口４よりも下方に位置して設けられたトイレットペーパー切断部６と、を備えている。
【００４３】
このトイレットペーパーホルダー１においては、トイレットペーパー引き出し口４から引き出したトイレットペーパー１７によってバー５を前傾させることができる。そして、これにより、トイレットペーパー１７がバー５とトイレットペーパー引き出し口４の内側の上縁との間に挟持されて、トイレットペーパー１７の引き出し動作が規制される。このため、トイレットペーパー引き出し口４から引き出したトイレットペーパー１７を、トイレットペーパー引き出し口４よりも下方に位置して設けられたトイレットペーパー切断部６にあてがい、当該トイレットペーパー１７をトイレットペーパー切断部６の方へ押しやるだけで、当該トイレットペーパー１７を切断することができる。この場合、バー５とトイレットペーパー切断部６との間の距離に相当する余り代がトイレットペーパー１７の切断後に残ることになる（以上、図８、図９参照）。このように、本実施の形態のトイレットペーパーホルダー１によれば、上記のような簡単な構成で、余り代を残した状態でのトイレットペーパー１７の切断を常にスムーズに行うことができる。
【００４４】
トイレットペーパー切断部６でトイレットペーパー１７が切断されると、引き出されたトイレットペーパー１７がトイレットペーパーロール２に巻き戻されるような反動が生じる。この反動の圧力は、引き出されたトイレットペーパー１７を通じてバー５にも伝達される。そして、このバー５への反動の伝達によって、当該バー５が後傾し（図７の状態）、引き出されたトイレットペーパー１７が引っ掛かるような状態となる。すなわち、引き出されたトイレットペーパー１７へのストッパーの役割を、バー５が果たすことになる。従って、本実施の形態のトイレットペーパーホルダー１によれば、切断の反動によるトイレットペーパー１７の巻き戻しを防止することができる。
【００４５】
以上を総合すると、本実施の形態のトイレットペーパーホルダー１によれば、構成が簡単で、かつ、余り代を残した状態でのトイレットペーパーの切断を常にスムーズに行うことができると共に、切断の反動によるトイレットペーパーの巻き戻しを防止することが可能なトイレットペーパーホルダーを提供することができる。
【００４６】
本実施の形態のトイレットペーパーロール収容器３は、上部が開口し、トイレットペーパーロール２を略水平状態で回転可能に保持収容するトイレットペーパーロール収容器本体７と、トイレットペーパーロール収容器本体７の上部開口を開閉可能に覆う蓋体８と、からなる。このため、蓋体８を開閉することによって、トイレットペーパーロール２を簡単に取り替えることができる。尚、蓋体８は、トイレットペーパーロール収容器本体７から完全に取り外し可能であってもよく、トイレットペーパーロール収容器本体７にヒンジ等を介して連結されていてもよい。
【００４７】
トイレットペーパーロール収容器３の材料としては、樹脂、金属、合金等の任意の材料を用いることができる。特に、樹脂を用いることにより、トイレットペーパーロール収容器３の軽量化を図ることができる。また、蓋体８を樹脂で形成する場合には、透明又は半透明であることが好ましい。蓋体８が透明又は半透明であることにより、使用者が、トイレットペーパーロール２の残量を一目で確認できるからである。
【００４８】
トイレットペーパー切断部６は、バー５と略平行に設けられている。また、トイレットペーパー切断部６は、トイレットペーパーロール収容器３（トイレットペーパーロール収容器本体７）に一体に形成されており、また、左右対称に凸状に湾曲している。トイレットペーパー切断部６が左右対称に凸状に湾曲している場合には、この湾曲部分がバー５と略平行である必要はなく、この湾曲部分の接線方向がバー５と略平行であればよい。このように、トイレットペーパー切断部６が左右対称に凸状に湾曲していることにより、使用者は、トイレットペーパー１７を端から端にかけて切断し易くなる。トイレットペーパー１７のミシン目に沿った切り取りが可能となるからである。また、トイレットペーパー切断部６がトイレットペーパーロール収容器３（トイレットペーパーロール収容器本体７）に一体に形成されていることにより、トイレットペーパー切断部６周りをすっきりさせることができ、デザイン的にも優れたものとすることができる。
【００４９】
トイレットペーパー切断部６の材料としては、樹脂、金属、合金、木材等の任意の材料を用いることができる。トイレットペーパー切断部６は、トイレットペーパー１７を切断する必要があるため、先端が鋭利に尖っていたり、切断刃を有していたりすることも好ましい。もちろん、使用者にとって危険性が無いように、トイレットペーパー１７を切ることはできるが、人体を切ることのないような素材で形成されていることも好ましい。トイレットペーパー１７をミシン目に沿って切り取るのであれば、トイレットペーパー切断部６の先端は丸みを帯びていてもよい。
【００５０】
トイレットペーパーロール２は、その芯の内部に軸棒９を挿通し、当該軸棒９の両端を、トイレットペーパーロール収容器本体７の両内側壁にそれぞれ形成されたＵ字状突起１３内に載置することにより、略水平状態で回転可能に保持される。このように、トイレットペーパーロール２を回転可能に保持する軸棒９を備えることにより、トイレットペーパーロール２をスムーズに回転させることが可能となる。尚、軸棒９は、自身が回転してトイレットペーパーロール２を回転させてもよいし、自身は回転せずに（あるいは少しだけ回転して）トイレットペーパーロール２を回転させてもよい。
【００５１】
軸棒９の材料としては、樹脂、金属、合金、木材、紙材等の任意の材料を用いることができる。軸棒９は、いずれの材料で形成されていてもよいが、表面処理を施すことにより、トイレットペーパーロール２の回転をよりスムーズなものとすることができる。
【００５２】
図５に示すように、トイレットペーパーロール収容器本体７には、その前面の上縁に略長方形状の切欠き１４が形成されている。このため、トイレットペーパーロール収容器本体７の上部開口を蓋体８によって覆うことにより、切欠き１４と蓋体８の前面の下縁とによってトイレットペーパー引き出し口４を形成することができる。このように、本実施の形態のトイレットペーパーロール収容器３は、トイレットペーパーロール収容器本体７の上部開口を蓋体８によって覆うことにより、切欠き１４と蓋体８の前面の下縁とによってトイレットペーパー引き出し口４が形成される構成であるので、バー５の取付けも容易となる（略長方形状の開口にバー５を取り付けるよりも、略長方形状の切欠き１４にバー５を取り付ける方が容易である）。
【００５３】
図１〜図６に示すように、バー５は、傾動軸１１を介して切欠き１４の左右両端で軸支されている。そして、バー５は、トイレットペーパー１７が当該バー５とトイレットペーパー引き出し口４の上縁との間に挟持されない状態で後傾動作が規制されるように構成されている。このため、バー５を、後傾動作が規制される状態に持っていくことにより、トイレットペーパー１７を引き出すことが可能となる。より具体的には、バー５は、その上面１０が略長方形状に形成され、当該上面１０が略水平となる状態で後傾動作が規制される。
【００５４】
バー５は、後傾動作方向に付勢されている。このため、トイレットペーパー１７を切断した後、トイレットペーパー１７を引き出すことが可能な状態（バー５がトイレットペーパー１７を挟持しない状態）に自動的に持っていくことができる。また、トイレットペーパー１７が切断された後、バー５が自動的に後傾し、引き出されたトイレットペーパー１７が引っ掛かるような状態となるので、切断の反動によるトイレットペーパー１７の巻き戻しを確実に防止することが可能となる。ここで、バー５は、図示しない付勢バネによって後傾動作方向にバネ付勢されている。このため、トイレットペーパー１７を切断した後、トイレットペーパー１７を引き出すことが可能な状態に確実に持っていくことができる。
【００５５】
本実施の形態において、バー５は、その長手方向と直交する断面の形状が略二等辺三角形である。この場合、バー５の、上面１０と対向する頂角部分がトイレットペーパー引き出し口４の内側の下縁に当接することにより、バー５の後傾動作が規制される。
【００５６】
バー５の材料としては、樹脂、金属、合金、木材等の任意の材料を用いることができる。
【００５７】
バー５は、トイレットペーパーホルダー１の使用期間が長くなるにつれて劣化する可能性がある。このため、バー５は、交換可能であることも好ましい。
【００５８】
尚、図３中、１２はトイレットペーパーホルダー１をトイレの壁面に取り付けるための取付面を示している。
【００５９】
［トイレットペーパーホルダーの使用方法］
次に、本考案の一実施の形態におけるトイレットペーパーホルダーの使用方法について、図７〜図９をも参照しながら説明する。
【００６０】
図７は、本考案の一実施の形態におけるトイレットペーパーホルダーを用いた場合の、トイレットペーパーの引き出し動作状態を示す部分側面図、図８は、当該トイレットペーパーホルダーを用いた場合の、トイレットペーパーの引き出し動作規制状態及び切断状態を示す部分側面図、図９は、当該トイレットペーパーホルダーを用いた場合の、トイレットペーパーの引き出し動作規制状態及び切断状態を示す斜視図である。
【００６１】
トイレットペーパーホルダー１は、図３に示す取付面１２を介してトイレの壁面に固定される。
【００６２】
トイレットペーパーロール２は、その芯の内部に軸棒９を挿通し、当該軸棒９の両端を、トイレットペーパーロール収容器本体７の両内側壁にそれぞれ形成されたＵ字状突起１３内に載置し、トイレットペーパーロール収容器本体７の上部開口を蓋体８で覆うことにより、トイレットペーパーロール収容器３内に略水平状態で回転可能に保持収容される（図１、図２、図４参照）。最初、トイレットペーパー１７は、トイレットペーパー引き出し口４から引き出され、その先端部がトイレットペーパー切断部６の辺りに位置している。
【００６３】
バー５は、付勢バネによって後傾動作方向にバネ付勢されており、かつ、上面１０と対向する頂角部分がトイレットペーパー引き出し口４の内側の下縁に当接することにより、上面１０が略水平となる状態で後傾動作が規制されている。すなわち、バー５は、通常、トイレットペーパー１７が当該バー５とトイレットペーパー引き出し口４の上縁との間に挟持されない状態で静止している（以上、図７参照）。従って、図７に示すように、使用者は、トイレットペーパー１７の先端部を手で持って引っ張ることにより、トイレットペーパー引き出し口４からトイレットペーパー１７を自由に好きなだけ引き出すことができる。
【００６４】
トイレットペーパー引き出し口４から引き出したトイレットペーパー１７を切断する場合には、図８、図９に示すように、引き出したトイレットペーパー１７によってバー５を前傾させる。これにより、トイレットペーパー１７がバー５とトイレットペーパー引き出し口４の内側の上縁との間に挟持されて、トイレットペーパー１７の引き出し動作が規制される。従って、トイレットペーパー引き出し口４から引き出したトイレットペーパー１７を、トイレットペーパー引き出し口４よりも下方に位置して設けられたトイレットペーパー切断部６にあてがい、当該トイレットペーパー１７をトイレットペーパー切断部６の方へ押しやることにより、当該トイレットペーパー１７を切断することができる。トイレットペーパー１７が切断されると、引き出されたトイレットペーパー１７がトイレットペーパーロール２に巻き戻されるような反動が生じる。しかし、トイレットペーパー１７が切断されると、付勢バネによる付勢力によってバー５が後傾し（図７の状態）、引き出されたトイレットペーパー１７が引っ掛かるような状態となる。これにより、切断の反動によるトイレットペーパー１７の巻き戻しが防止され、バー５とトイレットペーパー切断部６との間の距離に相当する余り代がトイレットペーパー１７の切断後に残る。このため、次にトイレットペーパーを引き出す操作が容易になる。
【００６５】
尚、上記実施の形態においては、トイレットペーパーロール収容器３が、上部が開口し、トイレットペーパーロール２を略水平状態で回転可能に保持収容するトイレットペーパーロール収容器本体７と、トイレットペーパーロール収容器本体７の上部開口を開閉可能に覆う蓋体８と、からなる場合を例に挙げて説明したが、本考案は必ずしもこのような構成に限定されるものではない。トイレットペーパーロール２の取替えが可能であれば、トイレットペーパーロール収容器３は一個のものとして形成されていてもよい。
【００６６】
また、上記実施の形態においては、トイレットペーパーロール収容器本体７の前面の上縁に略長方形状の切欠き１４が形成され、切欠き１４と蓋体８の前面の下縁とによってトイレットペーパー引き出し口４が形成される場合を例に挙げて説明したが、本考案は必ずしもこのような構成に限定されるものではない。例えば、トイレットペーパーロール収容器本体７の前面にトイレットペーパー引き出し口４を形成してもよく、この場合には、蓋体８は必ずしも必要ではない。
【００６７】
また、上記実施の形態においては、バー５が後傾動作方向にバネ付勢されている場合を例に挙げて説明したが、本考案は必ずしもこのような構成に限定されるものではない。まず、バー５は、必ずしも後傾動作方向に付勢されている必要はない。また、バーを後傾動作方向に付勢する手段は、必ずしも付勢バネに限定されるものではない。例えば、図１０に示すような、傾動軸１１の中心線（傾動軸線）よりも後側に重心が偏心した形状のバー１５を用いた場合であっても、当該バー１５を、後傾動作方向に付勢された状態にすることができる。また、その傾動軸線を中心として前後対称な形状に形成され、かつ、その傾動軸線よりも後側部分に重りが取り付けられたバーを用いた場合であっても、当該バーを、後傾動作方向に付勢された状態にすることができる。例えば、図１１に示すように、バー５の傾動軸１１の中心線（傾動軸線）よりも後側部分にその長手方向に沿って針金を挿通することにより、当該バー５を、後傾動作方向に付勢された状態にすることができる。そして、以上のような構成のバーを用いれば、付勢バネ等を用いる必要がないので、組立工程を簡略化することができる。
【００６８】
また、上記実施の形態においては、バー５の上面１０が略長方形状に形成されている場合を例に挙げて説明したが、本考案は必ずしもこのような構成に限定されるものではない。例えば、バーの上面は、山型に屈曲した形状に形成されていてもよく、また、Ｖ字状に屈曲した形状に形成されていてもよい。
【００６９】
また、上記実施の形態においては、バー５の長手方向と直交する断面の形状が略三角形である場合を例に挙げて説明したが、本考案は必ずしもこのような構成に限定されるものではない。例えば、バーの長手方向と直交する断面の形状がＴ字形であっても、上記と同様の作用効果を奏することができる。
【００７０】
また、上記実施の形態においては、トイレットペーパーロール２を回転可能に保持する軸棒９を備えた場合を例に挙げて説明したが、本考案は必ずしもこのような構成に限定されるものではない。トイレットペーパーロール収容器３自体がトイレットペーパーロール２を回転可能に保持収容することが可能な形状に形成されていれば、軸棒９は必ずしも必要ではない。尚、トイレットペーパーロール２を回転可能に保持する軸棒９を備える場合には、トイレットペーパーロール収容器３の下部は開口していてもよい。そして、この場合には、トイレットペーパーロール収容器３の下部開口からトイレットペーパーロール２の取替えを行うようにしてもよい。
【００７１】
また、上記実施の形態においては、トイレットペーパー切断部６がトイレットペーパーロール収容器３に一体に形成されている場合を例に挙げて説明したが、本考案は必ずしもこのような構成に限定されるものではない。トイレットペーパー切断部は、トイレットペーパーロール収容器３とは別個の部材として設けられていてもよい。
【００７２】
また、上記実施の形態においては、トイレットペーパー切断部６が左右対称に凸状に湾曲している場合を例に挙げて説明したが、本考案は必ずしもこのような構成に限定されるものではない。例えば、トイレットペーパー切断部は、直線状に形成されていてもよい。
【００７３】
また、上記実施の形態においては、図３に示すように、バー５がトイレットペーパー引き出し口４の若干内側で軸支されている場合を例に挙げて説明したが、本考案は必ずしもこのような構成に限定されるものではない。例えば、図１２に示すように、バー５をトイレットペーパー引き出し口４の若干外側で軸支するようにすれば、バー５をそれほど前傾させなくても、トイレットペーパー１７をバー５とトイレットペーパー引き出し口４の内側の上縁との間に挟持して、トイレットペーパー１７の引き出し動作を規制することができる。その結果、トイレットペーパー１７の切断後の余り代を多くすることができる。尚、この場合にも、バー５に工夫を施すことにより、トイレットペーパー１７が当該バー５とトイレットペーパー引き出し口４の上縁との間に挟持されない状態で当該バー５の後傾動作を規制することは可能である。
【産業上の利用可能性】
【００７４】
本考案によれば、構成が簡単で、かつ、余り代を残した状態でのトイレットペーパーの切断を常にスムーズに行うことができるトイレットペーパーホルダーを提供することができる。従って、本考案のトイレットペーパーホルダーは、片手が不自由な身障者や高齢者が、片手で操作できるトイレットペーパーホルダーとして有用である。
【符号の説明】
【００７５】
１  トイレットペーパーホルダー
２  トイレットペーパーロール
３  トイレットペーパーロール収容器
４  トイレットペーパー引き出し口
５  バー
６  トイレットペーパー切断部
７  トイレットペーパーロール収容器本体
８  蓋体
９  軸棒
１０  上面
１１  傾動軸
１２  取付面
１３  Ｕ字状突起
１４  切欠き
１７  トイレットペーパー
【図１】
0003181081.tif 000003
【図２】
0003181081.tif 000004
【図３】
0003181081.tif 000005
【図４】
0003181081.tif 000006
【図５】
0003181081.tif 000007
【図６】
0003181081.tif 000008
【図７】
0003181081.tif 000009
【図８】
0003181081.tif 000010
【図９】
0003181081.tif 000011
【図１０】
0003181081.tif 000012
【図１１】
0003181081.tif 000013
【図１２】
0003181081.tif 000014